(57)【要約】      （修正有）【課題】設置場所を取らず、より衛生的なＵＶ殺菌機能付き真空包装機を提供する。【解決手段】真空チャンバーＣと、真空チャンバーの上辺に設置されるヒートシーラーｈｓと、ピン結合により開閉可能な上蓋ＵＣと、真空ポンプと電気配線と吸引配管と排気配管が設置収納された動力室と、からなるＵＶ殺菌機能付き真空包装機１００であって、上蓋を閉じた場合には、真空ポンプにより減圧し、上蓋が開いた場合には、減圧を停止すると共に、上蓋の内側空間に殺菌機能を有する紫外線ランプを設置したことを特徴とする。【選択図】図１
0003224978.tif 000002
【実用新案登録請求の範囲】
【請求項１】
真空チャンバーＣと、当該真空チャンバーＣの上辺に設置されるヒートシーラーｈｓと、ピン結合ｐｊにより開閉可能な上蓋ＵＣと真空ポンプｐと電気配線と吸引配管と排気配管が設置収納された動力室からなるＵＶ殺菌機能付き真空包装機１００において、上蓋ＵＣが閉じた場合には、真空ポンプｐにより真空減圧し、上蓋ＵＣが開いた場合には、真空ポンプｐにより真空減圧を停止すると共に、上蓋ＵＣの内側空間ＩＳに殺菌機能を有する紫外線ランプＵＶＲを設置したことを特徴とするＵＶ殺菌機能付き真空包装機１００。
【請求項２】
上蓋ＵＣの内側空間ＩＳに殺菌機能を有する直管型の紫外線ランプＵＶＲを４本矩形状に設置したことを特徴とする請求項１に記載されたＵＶ殺菌機能付き真空包装機１００。
【請求項３】
紫外線ランプＵＶＲにより波長が３５〜２７５ｎｍの紫外線ＵＶを発生することを特徴とする請求項１〜２の何れかに記載されたＵＶ殺菌機能付き真空包装機１００。
【請求項４】
上蓋ＵＣが閉じた場合には、真空ポンプｐにより真空減圧し、上蓋ＵＣが開いた場合には、真空ポンプｐにより真空減圧を停止するＵＶ殺菌機能付き真空包装機１００において、上蓋ＵＣが閉じた時から上蓋ＵＣが開いた時までの時間ｔが、１５秒〜６０秒であることを特徴とする請求項１〜３の何れかに記載されたＵＶ殺菌機能付き真空包装機１００。
【請求項５】
上蓋ＵＣが透明であることを特徴とする請求項１〜４の何れかに記載されたＵＶ殺菌機能付き真空包装機１００。
【請求項６】
当該真空チャンバーＣの上辺に設置されるヒートシーラーｈｓが、当該真空チャンバーＣの上辺に対向して設置されることを特徴とする請求項１〜５の何れかに記載されたＵＶ殺菌機能付き真空包装機１００。
【請求項７】
２つの真空チャンバーＣと当該真空チャンバーＣの上辺に設置されるヒートシーラーｈｓと、開閉可能な上蓋ＵＣと、４本の搖動リンクＬＫと、真空ポンプｐと吸引配管と排気配管が設置収納されている動力室からなるＵＶ殺菌機能付き真空包装機１００において、４本の搖動リンクＬＫは、上蓋ＵＣとＵＶ殺菌機能付き真空包装機１００とをピン結合ｐｊにより搖動可能に結合してなり、搖動リンクＬＫが搖動することにより上蓋ＵＣが２つの真空チャンバーＣの何れかを閉じた場合には、真空ポンプｐにより真空減圧し、上蓋ＵＣが当該真空チャンバーＣから開いた場合には、真空ポンプｐにより真空減圧を停止すると共に、上蓋ＵＣの内側空間ＩＳに殺菌機能を有する紫外線ランプＵＶＲを設置したことを特徴とするＵＶ殺菌機能付き真空包装機１００。
【請求項８】
上蓋ＵＣの内側空間ＩＳに殺菌機能を有する直管型の紫外線ランプＵＶＲを４本矩形状に設置したことを特徴とする請求項７に記載されたＵＶ殺菌機能付き真空包装機１００。
【請求項９】
紫外線ランプＵＶＲにより波長が３５〜２７５ｎｍの紫外線ＵＶを発生することを特徴とする請求項７〜８の何れかに記載されたＵＶ殺菌機能付き真空包装機１００。
【請求項１０】
上蓋ＵＣが閉じた場合には、真空ポンプｐにより真空減圧し、上蓋ＵＣが開いた場合には、真空ポンプｐにより真空減圧を停止するＵＶ殺菌機能付き真空包装機１００において、上蓋ＵＣが閉じた時から上蓋ＵＣが開いた時までの時間ｔが、１５秒〜６０秒であることを特徴とする請求項７〜９の何れかに記載されたＵＶ殺菌機能付き真空包装機１００。
【請求項１１】
上蓋ＵＣが透明であることを特徴とする請求項７〜１０の何れかに記載されたＵＶ殺菌機能付き真空包装機１００。
【請求項１２】
当該真空チャンバーＣの上辺に設置されるヒートシーラーｈｓが、当該真空チャンバーＣの上辺に対向して設置されることを特徴とする請求項７〜１１の何れかに記載されたＵＶ殺菌機能付き真空包装機１００。
【考案の詳細な説明】
【技術分野】
【０００１】
本考案は、ＵＶ殺菌機能付き真空包装機に関する。
【背景技術】
【０００２】
従来の真空包装機は、ただ単なる真空包装の機能（密封したプラスチックなどの包装容器（包装袋）内の空気を吸引して脱気することで包装容器（包装袋）の内部を真空状態にする機能）のみ付加されたものであり、真空包装対象である食品や無菌包装が必要とされる商品（以下、「真空包装対象品」ともいう。）全てに対して殺菌機能を有していない真空包装であった。
代表的な例として、病院性細菌などの有害な菌の殺菌機能が必要とされる、病院の治療機器や様々な施術物商品の包装の際には、殺菌機能が欠かせないにも拘わらず、かかる治療機器や様々な施術物を包装するに当たって、殺菌機能を有しない真空包装機を使用していた。
また、従来は、包装や梱包に従事する者の手にも菌が付着したままで、真空包装機を取り扱っていた。かかる従来の真空包装機の非衛生的な問題点を発明者は真剣に考えて、出願人が独自開発した真空包装機に、ＵＶ殺菌機能を付けることによって、食品や無菌包装商品および製品（真空包装対象品）に対して、より衛生的な品質を付与させるべく、考案者は、上記従来技術の欠点に鑑み鋭意研究した結果、本考案を完成させた。
すなわち、従来、我が国の包装関連企業の中で、最も使用されます殺菌方法として、高温殺菌（８０℃〜）と熱湯殺菌（７０℃〜）が有った。
しかしながら、これらの殺菌設備は、高価・広い設置場所・２人以上の固定人件費がかかるので、大手企業やある程度の中小企業ではない限り、このような殺菌設備を所有することはできず、我が国の包装関連中小企業では、殺菌機能を全く有しない真空包装機を使って、非衛生的な食品包装をしているのが数多くみられる。
【考案の開示】
【０００３】
従って、出願人は、出願人が独自開発した真空包装機に、ＵＶ殺菌機能を付けることによって、食品や無菌包装商品および製品（真空包装対象品）に、より衛生的な品質を実現させるべく、考案者は、上記従来技術の欠点に鑑み鋭意研究した結果、本考案を完成させた。
【先行技術文献】
【特許文献】
【０００４】
本願考案に係るＵＶ殺菌機能付き真空包装機１００について、ＦＩ、キーワード検索を行ったところ、本件考案（請求項１〜１２に記載された発明）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
従来の非衛生的な包装方法や環境を脱皮し、より衛生的なＵＶ殺菌機能付き真空包装機を提供することである。
○本考案が解決しようとする第２課題
本考案が解決しようとする第２課題は、
小額で設備設置場所を取らない殺菌装置を設置した、ＵＶ殺菌機能付き真空包装機を提供することである。
○本考案が解決しようとする第３課題
本考案が解決しようとする第３課題は、
作業員が一人のみで操作をすることが可能な、ＵＶ殺菌機能付き真空包装機を提供することである。
○本考案が解決しようとする第４課題
本考案が解決しようとする第４課題は、
Ｏ−１５７のような感染症の恐れが極端に減る、より衛生的なＵＶ殺菌機能付き真空包装機を提供することである。
○本考案が解決しようとする第５課題
本考案が解決しようとする第５課題は、
冷蔵庫内の菌増殖が防げる、より衛生的なＵＶ殺菌機能付き真空包装機を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜用語の説明＞
●紫外線とは、菫外線ともいう。スペクトルの紫より短波長側にある不可視光線で，４００ｎｍ以下の光である。可視光線より波長が短く，Ｘ線より波長の長い電磁波で，波長１９０ｎｍ以下の領域を特に真空紫外線と呼ぶ。ほとんどの光化学変化は紫外線によって引起される。本発明に係る紫外線は、殺菌機能を有する紫外線であり、殺菌作用が有る波長が３５〜２７５ｎｍの紫外線が例示される。
●殺菌とは、滅菌ともいう。微生物のうち主として細菌を死滅させる，あるいは除去すること。病原菌による人体，家畜，農作物等の感染や，台所用具，医療器具等の汚染，食物など保存を要する物の細菌の活動による変質などを防ぐ目的で行う。物理的方法として乾燥，加熱（煮沸，高圧水蒸気，火炎）と両者の結合（乾熱滅菌），紫外線照射，放射線照射など。化学的方法として殺菌剤，消毒薬，有毒ガスの使用がある。細菌と抵抗力の強いその芽胞を殺すに十分で，しかも人体や保存すべき物に変化を与えることが少ない方法がすぐれている。特に病原微生物を殺すことを消毒という。
●ＵＶ殺菌とは、紫外線（ＵＶ）による殺菌をいう。
●ＵＶ殺菌機能とは、紫外線（ＵＶ）による殺菌をする働きの意味合いである。
●ＵＶ殺菌機能付き真空包装機１００とは、紫外線（ＵＶ）による殺菌をする働きを備えた真空包装機をいい、より具体的には、ＵＶ殺菌をする働きを奏する紫外線ランプを設置した真空包装機をいう。
●真空包装機とは、密封したプラスチックなどの包装容器（包装袋）内の空気を吸引して脱気することで包装容器（包装袋）の内部を真空状態にする機械をいう。包装容器（包装袋）内の酸素を排除することで内容物である食品等の化学的な変質や微生物による変質を抑制することを目的とする。
そして、「真空包装」は日本工業規格（ＪＩＳ）においても定義付けされている。日本工業規格の定義では「真空包装」とは「内容物の充填時に容器（包装袋）から空気を吸引排気して密封し、物品の変質などを防止することを目的とする包装」とされている。また、「包装容器（包装袋）には、ガスバリア性の優れた包装材料を用いる」とされている。「真空包装」の対応英語は「ｖａｃｕｕｍ  ｐａｃｋａｇｉｎｇ」である。  
●ＵＶ殺菌機能付き真空包装機１００とは、真空包装機本体Ｂと上蓋ＵＣとピン結合ｐｊ（実施例１の考案）又は搖動リンクＬＫ（実施例２の考案）から構成され、より具体的には、真空チャンバーＣとピン結合ｐｊにより開閉可能な上蓋ＵＣと真空ポンプｐと吸引配管と排気配管が設置収納されている動力室ｄｒとヒートシーラーｈｓから構成される。
動力室ｄｒは、より具体的には、真空ポンプｐと、真空ポンプｐを駆動するモーターｍと吸引配管と排気配管等から構成されている。
●真空包装機本体Ｂ（もしくは、単に「本体Ｂ」ともいう。）とは、本願考案に係る、ＵＶ殺菌機能付き真空包装機１００のうち、上蓋ＵＣとピン結合ｐｊ又は搖動リンクＬＫを除外した部分をいう。
●真空包装機本体Ｂは、真空チャンバーＣと真空ポンプｐと吸引配管と排気配管が設置収納されている動力室ｄｒとヒートシーラーｈｓ等から構成されている（図１〜図７）。
動力室ｄｒは、より具体的には、真空ポンプｐと、真空ポンプｐを駆動するモーターｍと吸引配管と排気配管等から構成されている。
●ヒートシーラーｈｓとは、真空包装において、熱を利用してポリ袋等の包装容器（包装袋）の閉じ口を密着させて封じる装置をいう。
●真空チャンバーＣとは、内部を真空にするための容器をいう。真空チャンバーＣは真空包装機の中心部分であり、真空包装機の仕様によりその形状や材質が決められる。使用される材質は主に真空用材料から選定される。
●真空チャンバーＣの上辺とは、ヒートシーラーｈｓが設置される位置であって、真空チャンバーＣの上表面の辺に近い位置をいう（図１、図２、図４、図５、図６）。
●上蓋ＵＣとは、真空チャンバーＣの上平面を覆う、ピン結合ｐｊにより開閉可能な蓋部分をいう。
本発明に係る、殺菌をする働きを奏する紫外線ランプを有する真空包装機１００は、上蓋ＵＣが閉じた場合には、真空ポンプｐにより真空減圧し、上蓋ＵＣが開いた場合には、真空ポンプｐにより真空減圧を停止する殺菌機能付き真空包装機において、上蓋ＵＣの内側に殺菌機能を有する紫外線ランプＵＶＲを設置したことを特徴とするＵＶ殺菌機能付き真空包装機１００である。
●上蓋ＵＳの内側空間ＩＳとは、殺菌機能を有する紫外線ランプＵＶＲを設置するために設けられた、上蓋ＵＣの内側の空間、すなわち、上蓋ＵＣの上面と下面に囲まれた空間をいう。上蓋ＵＣの下面は、四周が縁面であり、中央部が矩形状の開口面から構成される（図８）。
●内側とは、周辺（上蓋ＵＣの上面）からＵＶ殺菌機能付き真空包装機１００の中心（重心）へ向かう側をいい、外側とは、ＵＶ殺菌機能付き真空包装機１００の中心（重心）から周辺へ向かう側をいう。
●ピン結合ｐｊとは、実施例１の考案においては、真空包装機本体１００と上蓋ＵＣの接合具、又は、接続の一形式をいう。ピンジョイント，ピン継手ともいう。真空包装機本体１００と上蓋ＵＣの接合点では回転が自由であるが，真空包装機本体１００と上蓋ＵＣ相互間に曲げモーメントを伝えないものをいう。ここに、ピン結合ｐｊの回転軸以外は拘束されている（図１〜図５）。
●真空ポンプｐとは、真空チャンバーＣ内から空気を排出し、真空を得るためのポンプをいう。
●紫外線ランプＵＶＲとは、殺菌力を持つ紫外線波長域の光線（紫外線）を照射する光源の総称をいう。蛍光灯タイプのものが一般的。ガラス管の内側に蛍光物質を塗布していない蛍光灯と考えればよい。蛍光物質がないため、水銀の発光が可視光線に変換されることなく、そのまま外部に照射される。  
殺菌力を持つ波長域というのは紫外線のことを差す。水銀のスペクトル線のうち、２５３．７ｎｍ付近（ＵＶ−Ｃ領域）のものが特に殺菌力が高い。菌細胞内の核酸へ作用し、ＤＮＡを損傷（チミン二量体を生成）することで殺菌効果を発揮する。この波長域の光線は一般のガラスでは吸収されてしまうため、殺菌灯の管には石英ガラスが使われる。  
蛍光灯形の型番はＧＬ−ｘ（ｘはワット数で一般的に４ワットから４０ワット程度まである）。器具は蛍光灯器具と同じであり、ランプを取り替えるだけで殺菌灯器具として利用できる。  
ＤＮＡを損傷するので、人体にも有害であり、皮膚・目を損傷する。防護メガネの着用は必須で、肉眼で点灯中のランプを見るのは厳禁であり、また光線が皮膚にあたらないよう保護する必要がある。  
ケミカルランプやブラックライトも紫外線を発するが、波長域の違いで殺菌灯とは呼ばない（以上、ウィキペディアフリー百科事典より抜粋。）。
●包装容器（包装袋）とは、真空包装をするために真空包装対象品を入れるための密封したプラスチックなどの包装容器（包装袋）をいう。
●真空包装対象品とは、真空包装対象である食品や無菌包装が必要とされる商品をいう。
●包装容器（包装袋）に入った真空包装対象品ＣＧとは、真空包装をするために、包装容器（包装袋）に収納された真空包装対象品をいう。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜用語の説明＞…２つの真空チャンバーＣと１つの上蓋と４本の搖動リンクＬＫを有するＵＶ殺菌機能付き真空包装機１００（実施例２の考案）に特有の用語の説明
●２つの真空チャンバーＣとは、ＵＶ殺菌機能付き真空包装機１００の動力室の上に、左右に設置される真空チャンバーＣをいう。
●搖動リンクＬＫとは、４本あって、上蓋ＵＣ前後左右とＵＶ殺菌機能付き真空包装機１００の前後左右とを４本のピン結合ｐｊにより搖動可能に結合してなり、搖動リンクＬＫが搖動することにより上蓋ＵＣが２つの真空チャンバーＣの何れかを閉じることができる（２つの真空チャンバーＣを同時に閉じることはできない。１つの真空チャンバーＣを閉じた場合は、他方の真空チャンバーＣは開いた状態になっている。）。
ＵＶ殺菌機能付き真空包装機１００は、上蓋ＵＣが２つの真空チャンバーＣの何れかを閉じた場合には、真空ポンプｐにより真空減圧し、上蓋ＵＣが当該真空チャンバーＣから開いた場合には、真空ポンプｐにより真空減圧を停止するように構成されている。
●ピン結合ｐｊとは、実施例２の考案においては、真空包装機本体１００と上蓋ＵＣの接合具、又は、接続の一形式をいう。ピンジョイント，ピン継手ともいう。真空包装機本体１００と上蓋ＵＣの接合点では回転が自由であるが，真空包装機本体１００と上蓋ＵＣ相互間に曲げモーメントを伝えないものをいう。ここに、ピン結合ｐｊの回転軸以外は拘束されている（図６〜図１２）。
●搖動とは、搖動リンクＬＫを左右の何れかに回転させることにより、上蓋ＵＣが水平を保ったまま、真空チャンバーＣの何れかを閉じること、あるいは、真空チャンバーＣの何れかを閉じていた状態から開いた状態にすることをいう。
■平行リンク機構とは、固定リンクと中間リンクが同じ長さ、駆動リンクと従動リンクも同じ長さのリンク機構をいう（図９）。
平行リンク機構においては、駆動リンクが時計回り、反時計回りの何れの場合にも、従動リンクも同じ角度で揺動すると共に、駆動リンクと従動リンクは、必ず対称性を持って揺動をする。
固定リンクが、本体Ｂであり、中間リンクが上蓋ＵＣであり、駆動リンクと従属リンクが搖動リンクＬＫである。
■実施例１の考案とは、上蓋ＵＣを１つ、真空チャンバーＣを１つ有してなる、本発明に係る、ＵＶ殺菌機能付き真空包装機１００（請求項１〜６の何れかに記載された考案）をいう。
■実施例２の考案とは、上蓋ＵＣを１つ、真空チャンバーＣを２つを有してなり、搖動リンクＬＫにより上蓋ＵＣを搖動させて、２つの真空チャンバーを相互に閉じることを可能にした、ＵＶ殺菌機能付き真空包装機１００（請求項７〜１２の何れかに記載された考案）をいう。
■第１の実施態様とは、ヒートシーラーｈｓが１つ設置された実施態様（図１、図４）をいう。
■第２の実施態様とは、ヒートシーラーｈｓが２つ設置された実施態様（図２、図５）をいう。
■第３の実施態様とは、ヒートシーラーｈｓが４つ設置された実施態様（図６）をいう。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜記号の説明＞
Ｈ…上蓋ＵＣの四角推台の高さ（ｃｍ）
Ａ…上蓋ＵＣの四角推台の底面の辺長（ｃｍ）
Ｂ…上蓋ＵＣの四角推台の底面の辺長（ｃｍ）
ａ…上蓋ＵＣの四角推台の上面の辺長（ｃｍ）
ｂ…上蓋ＵＣの四角推台の上面の辺長（ｃｍ）
ｌ…ＵＶランプの管長（ｃｍ）
ｄ…ＵＶランプの直径（ｃｍ）
θ…搖動リンクＬＫ（駆動リンク、従動リンク）が垂直線となす角度（°）
θｍａｘ…上蓋ＵＣにより右側真空チャンバーＣを無閉じた状態におけるθの値（°）
θは、０〜θｍａｘの間をとり、搖動リンクＬＫは搖動する。
Ｒ…搖動リンクＬＫ（駆動リンク、従動リンク）の固定点から先端点までの距離（ｃｍ）
Ａ…搖動リンクＬＫ同士の閉じた状態における距離（ｃｍ）
Ｂ…上蓋ＵＣの角点Ｑの搖動リンクＬＫ（駆動リンク）の先端点Ｐからの水平距離（ｃｍ）
Ｙ１…搖動リンクＬＫの固定点Ｏから本体Ｂまでの垂直距離（ｃｍ）
Ｙ２…搖動リンクＬＫの先端点Ｐから上蓋ＵＣの底面までの垂直距離（ｃｍ）
Ｙ…Ｙ１＋Ｙ２（ｃｍ）
ここに、上蓋ＵＣにより右側真空チャンバーＣを閉じた状態において、搖動リンクＬＫの固定点Ｏを中心とする半径Ｒの円と、搖動リンクＬＫの固定点Ｏより垂直に距離Ｙの水平線との交点が、搖動リンクＬＫの先端点Ｐとなる。
Ｏ…搖動リンクＬＫ（駆動リンク）の固定点をいう。
Ｐ…搖動リンクＬＫ（駆動リンク）の先端点をいう。
Ｑ…上蓋ＵＣリンクの左下の角点をいう。
Ｐ’…上蓋ＵＣにより右側真空チャンバーＣを閉じた状態において、点Ｐを通る垂直線と本体Ｂの上表面と交わる点をいう。
Ｑ’…上蓋ＵＣにより右側真空チャンバーＣを閉じた状態において、点Ｑを通る垂直線と本体Ｂの上表面と交わる点をいう。
（１）式
Ｒ×ｓｉｎ（θｍａｘ）−Ｂ＞Ａ……（１）式
ここに、ｃｏｃ（θｍａｘ）＝Ｙ／Ｒ…（２）式
（１）式と（）式を連立させて、
（Ｒ＊＊２−Ｙ＊＊２）＊＊０．５＞Ａ＋Ｂ…（３）式
設計パラメーターＲ、Ｙ、Ａ、Ｂの間に（３）式が成立すねことが、本発明の実施例２を完成させる必須の条件である。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＜２つの真空チャンバーＣと１つの上蓋と４本の搖動リンクＬＫを有するＵＶ殺菌機能付き真空包装機１００の特有の意義＞
２つの真空チャンバーＣと１つの上蓋と４本の搖動リンクＬＫを有するＵＶ殺菌機能付き真空包装機１００は、これらの要件を組合せることにより、上蓋ＵＣが一方の真空チャンバーＣを閉じた状態にした場合には、上蓋ＵＣは他方の真空チャンバーＣを開いた状態にしている。
閉じた状態の真空チャンバーＣにおいては、真空ポンプｐにより真空減圧し、真空包装を行い、開いた状態の真空チャンバーＣにおいては、真空包装が完了した包装容器（包装袋）に入った真空包装対象品ＣＧを取り出し、新たに包装容器（包装袋）に入った対真空包装対象品ＣＧを真空包装に供すべく真空チャンバーＣにセットする作業を行う。
２つの真空チャンバーＣを閉じた状態から開いた状態に交互に切りかえることにより、一方の真空チャンバーＣでは、真空包装作業を行い、他方の真空チャンバーＣでは、包装容器（包装袋）に入った真空包装対象品ＣＧを取り出し、新たに包装容器（包装袋）に入った真空包装対象品ＣＧを真空包装に供すべく真空チャンバーＣにセットする作業を同時に並行して行うことができるので、真空包装作業を効率的に行うことができる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜上蓋ＵＣの内側空間ＩＳに殺菌機能を有する紫外線ランプＵＶＲを設置することを着想した経緯について＞
常識的には、不動部分である本体Ｂの内側に空間があるにも拘らず、可動部分である上蓋ＵＣの内側空間ＩＳに紫外線ランプＵＶＲを設置することは抵抗感があり着想し難いと言える。
考案者は、実際に本体Ｂの側面（４面）に紫外線ランプＵＶＲを設置したところ、包装袋に入った真空包装対象品ＣＧの側面から紫外線を当てることになり、殺菌効果が十分でないことが経験的に分かった。すなわち、包装袋に入った真空包装対象品ＣＧの表面（真空包装機１００にセットした場合の真空包装機１００の上面側）に対して、紫外線を照射する必要があることが経験的に分かった。
そこで、鋭意試行錯誤した結果、第２、第８の考案（請求項２、８に記載の考案）を完成させたものである。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜実施例２の発明を着想した経緯について＞
実施例２の発明を着想した出発点は、ＵＶ紫外線ランプＵＶＲによる殺菌時間ｔ（上蓋ＵＣが閉じた状態から開いた時までの時間ｔ）が、上蓋ＵＣが開いた時から、包装袋に入った真空包装対象品ＣＧを所定位置に並べて、包装袋の入口側をヒートシーラーｈｓの位置に合わせる真空包装殺菌準備時間ｔ’とほぼ同じ時間にすることが可能となることが判明したことである。
ＵＶ紫外線ランプＵＶＲによる殺菌時間ｔを真空包装殺菌準備時間ｔ’（１５秒〜６０秒）に合わせることが可能になったので、２つの真空チャンバーＣを設けて、上蓋ＵＣにより、一方の真空チャンバーＣを閉じて、真空包装殺菌の作業を行い、他方の真空チャンバーＣは、開口させて、真空殺菌の準備時間に当てれば、並列して連続的に真空包装殺菌作業を効率的に行うこができることを発見した。
そして、常識的には真空チャンバーＣが２つ有れば、それらを閉じる上蓋ＵＣは２つ必要であると考えるのが普通であるが、真空チャンバーＣを閉じる上蓋ＵＣは、２つ必要なく、１つで足りることも分かり、上蓋ＵＣで一方の真空チャンバーＣを閉じる時間ｔと他方の真空チャンバーＣを開ける時間ｔ’とが同じになる機構として、平行リンク機構を着想して実施例２の発明を完成させたものである。    
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）  
上記の課題を解決するための第１の考案（請求項１に記載の考案）は、
真空チャンバーＣと、当該真空チャンバーＣの上辺に設置されるヒートシーラーｈｓと、ピン結合ｐｊにより開閉可能な上蓋ＵＣと真空ポンプｐと電気配線と吸引配管と排気配管が設置収納された動力室からなるＵＶ殺菌機能付き真空包装機１００において、上蓋ＵＣが閉じた場合には、真空ポンプｐにより真空減圧し、上蓋ＵＣが開いた場合には、真空ポンプｐにより真空減圧を停止すると共に、上蓋ＵＣの内側空間ＩＳに殺菌機能を有する紫外線ランプＵＶＲを設置したことを特徴とするＵＶ殺菌機能付き真空包装機１００である。
○第２の考案（請求項２に記載の考案）  
上記の課題を解決するための第２の考案（請求項２に記載の考案）は、
上蓋ＵＣの内側空間ＩＳに殺菌機能を有する直管型の紫外線ランプＵＶＲを４本矩形状に設置したここを特徴とする請求項１に記載されたＵＶ殺菌機能付き真空包装機１００である。
○第３の考案（請求項３に記載の考案）
上記の課題を解決するための第３の考案（請求項３に記載の考案）は、
紫外線ランプＵＶＲにより波長が３５〜２７５ｎｍの紫外線ＵＶを発生することを特徴とする請求項１〜２の何れかに記載されたＵＶ殺菌機能付き真空包装機１００である。
○第４の考案（請求項４に記載の考案）
上記の課題を解決するための第４の考案（請求項４に記載の考案）は、
上蓋ＵＣが閉じた場合には、真空ポンプｐにより真空減圧し、上蓋ＵＣが開いた場合には、真空ポンプｐにより真空減圧を停止するＵＶ殺菌機能付き真空包装機１００において、上蓋ＵＣが閉じた時から上蓋ＵＣが開いた時までの時間ｔが、１５秒〜６０秒であることを特徴とする請求項１〜３の何れかに記載されたＵＶ殺菌機能付き真空包装機１００である。
○第５の考案（請求項５に記載の考案）
上記の課題を解決するための第５の考案（請求項５に記載の考案）は、
上蓋ＵＣが透明であることを特徴とする請求項１〜４の何れかに記載されたＵＶ殺菌機能付き真空包装機１００である。
○第６の考案（請求項６に記載の考案）
上記の課題を解決するための第６の考案（請求項６に記載の考案）は、
当該真空チャンバーＣの上辺に設置されるヒートシーラーｈｓが、当該真空チャンバーＣの上辺に対向して設置されることを特徴とする請求項１〜５の何れかに記載されたＵＶ殺菌機能付き真空包装機１００である。
○第７の考案（請求項７に記載の考案）
上記の課題を解決するための第７の考案（請求項７に記載の考案）は、
２つの真空チャンバーＣと当該真空チャンバーＣの上辺に設置されるヒートシーラーｈｓと、開閉可能な上蓋ＵＣと、４本の搖動リンクＬＫと、真空ポンプｐと吸引配管と排気配管が設置収納されている動力室からなるＵＶ殺菌機能付き真空包装機１００において、４本の搖動リンクＬＫは、上蓋ＵＣとＵＶ殺菌機能付き真空包装機１００とをピン結合ｐｊにより搖動可能に結合してなり、搖動リンクＬＫが搖動することにより上蓋ＵＣが２つの真空チャンバーＣの何れかを閉じた場合には、真空ポンプｐにより真空減圧し、上蓋ＵＣが当該真空チャンバーＣから開いた場合には、真空ポンプｐにより真空減圧を停止すると共に、上蓋ＵＣの内側空間ＩＳに殺菌機能を有する紫外線ランプＵＶＲを設置したことを特徴とするＵＶ殺菌機能付き真空包装機１００である。
○第８の考案（請求項８に記載の考案）
上記の課題を解決するための第８の考案（請求項８に記載の考案）は、
上蓋ＵＣの内側空間ＩＳに殺菌機能を有する直管型の紫外線ランプＵＶＲを４本矩形状に設置したことを特徴とする請求項７に記載されたＵＶ殺菌機能付き真空包装機１００である。
○第９の考案（請求項９に記載の考案）  
上記の課題を解決するための第９の考案（請求項９に記載の考案）は、
紫外線ランプＵＶＲにより波長が３５〜２７５ｎｍの紫外線ＵＶを発生することを特徴とする請求項７〜８の何れかに記載されたＵＶ殺菌機能付き真空包装機１００である。
○第１０の考案（請求項１０に記載の考案）
上記の課題を解決するための第１０の考案（請求項１０に記載の考案）は、
上蓋ＵＣが閉じた場合には、真空ポンプｐにより真空減圧し、上蓋ＵＣが開いた場合には、真空ポンプｐにより真空減圧を停止するＵＶ殺菌機能付き真空包装機１００において、上蓋ＵＣが閉じた時から上蓋ＵＣが開いた時までの時間ｔが、１５秒〜６０秒であることを特徴とする請求項７〜９の何れかに記載されたＵＶ殺菌機能付き真空包装機１００である。
○第１１の考案（請求項１１に記載の考案）
上記の課題を解決するための第１１の考案（請求項１１に記載の考案）は、
上蓋ＵＣが透明であることを特徴とする請求項７〜１０の何れかに記載されたＵＶ殺菌機能付き真空包装機１００である。
○第１２の考案（請求項１２に記載の考案）
上記の課題を解決するための第１２の考案（請求項１２に記載の考案）は、
当該真空チャンバーＣの上辺に設置されるヒートシーラーｈｓが、当該真空チャンバーＣの上辺に対向して設置されることを特徴とする請求項７〜１１の何れかに記載されたＵＶ殺菌機能付き真空包装機１００である。
【考案の効果】
【０００７】
本考案に係る、ＵＶ殺菌機能付き真空包装機１００は、上記のような特徴的構成要件から構成され、特徴的構成要件に応じた、以下のような本願考案特有の効果を奏する。
また、上記の各考案に応じた、上記のような特徴的構成要件から構成されたＵＶ殺菌機能付き真空包装機１００によれば、本願考案の課題を十分解消することができた。
○第１の考案の効果
第１の考案によれば、
真空チャンバーＣと、当該真空チャンバーＣの上辺に設置されるヒートシーラーｈｓと、ピン結合ｐｊにより開閉可能な上蓋ＵＣと真空ポンプｐと電気配線と吸引配管と排気配管が設置収納された動力室からなるＵＶ殺菌機能付き真空包装機１００において、上蓋ＵＣが閉じた場合には、真空ポンプｐにより真空減圧し、上蓋ＵＣが開いた場合には、真空ポンプｐにより真空減圧を停止すると共に、上蓋ＵＣの内側空間ＩＳに殺菌機能を有する紫外線ランプＵＶＲを設置したことという特徴的な構成要件により、本考案が解決しようとする第１課題〜第５課題を達成することができ、当業者予測不可能な顕著な効果を奏することができた。
○第２の考案の効果
第２の考案によれば、
上蓋ＵＣの内側空間ＩＳに殺菌機能を有する直管型の紫外線ランプＵＶＲを４本矩形状に設置したこという特徴的な構成要件により、本考案が解決しようとする第１課題〜第５課題を達成することができ、当業者予測不可能な顕著な効果を奏することができた。
○第３の考案の効果
第３の考案によれば、
紫外線ランプＵＶＲにより波長が３５〜２７５ｎｍの紫外線ＵＶを発生することという特徴的な構成要件により、本考案が解決しようとする第１課題〜第５課題を達成することができ、当業者予測不可能な顕著な効果を奏することができた。
○第４の考案の効果
第４の考案によれば、
上蓋ＵＣが閉じた場合には、真空ポンプｐにより真空減圧し、上蓋ＵＣが開いた場合には、真空ポンプｐにより真空減圧を停止するＵＶ殺菌機能付き真空包装機１００において、上蓋ＵＣが閉じた時から上蓋ＵＣが開いた時までの時間ｔが、１５秒〜６０秒であることという特徴的な構成要件により、本考案が解決しようとする第１課題〜第５課題を達成することができ、当業者予測不可能な顕著な効果を奏することができた。
○第５の考案の効果
第５の考案によれば、
上蓋ＵＣが透明であることという特徴的な構成要件により、本考案が解決しようとする第１課題〜第５課題を達成することができ、当業者予測不可能な顕著な効果を奏することができた。
○第６の考案の効果
第６の考案によれば、
当該真空チャンバーＣの上辺に設置されるヒートシーラーｈｓが、当該真空チャンバーＣの上辺に対向して設置されることという特徴的な構成要件により、本考案が解決しようとする第１課題〜第５課題を達成することができ、当業者予測不可能な顕著な効果を奏することができた。
○第７の考案の効果
第７の考案によれば、
２つの真空チャンバーＣと当該真空チャンバーＣの上辺に設置されるヒートシーラーｈｓと、開閉可能な上蓋ＵＣと、４本の搖動リンクＬＫと、真空ポンプｐと吸引配管と排気配管が設置収納されている動力室からなるＵＶ殺菌機能付き真空包装機１００において、４本の搖動リンクＬＫは、上蓋ＵＣとＵＶ殺菌機能付き真空包装機１００とをピン結合ｐｊにより搖動可能に結合してなり、搖動リンクＬＫが搖動することにより上蓋ＵＣが２つの真空チャンバーＣの何れかを閉じた場合には、真空ポンプｐにより真空減圧し、上蓋ＵＣが当該真空チャンバーＣから開いた場合には、真空ポンプｐにより真空減圧を停止すると共に、上蓋ＵＣの内側空間ＩＳに殺菌機能を有する紫外線ランプＵＶＲを設置したことという特徴的な構成要件により、本考案が解決しようとする第１課題〜第５課題を達成することができ、当業者予測不可能な顕著な効果を奏することができた。
○第８の考案の効果
第８の考案によれば、
上蓋ＵＣの内側空間ＩＳに殺菌機能を有する直管型の紫外線ランプＵＶＲを４本矩形状に設置したことという特徴的な構成要件により、本考案が解決しようとする第１課題〜第５課題を達成することができ、当業者予測不可能な顕著な効果を奏することができた。
○第９の考案の効果
第９の考案によれば、
紫外線ランプＵＶＲにより波長が３５〜２７５ｎｍの紫外線ＵＶを発生することという特徴的な構成要件により、本考案が解決しようとする第１課題〜第５課題を達成することができ、当業者予測不可能な顕著な効果を奏することができた。
○第１０の考案の効果
第１０の考案によれば、
上蓋ＵＣが閉じた場合には、真空ポンプｐにより真空減圧し、上蓋ＵＣが開いた場合には、真空ポンプｐにより真空減圧を停止するＵＶ殺菌機能付き真空包装機１００において、上蓋ＵＣが閉じた時から上蓋ＵＣが開いた時までの時間ｔが、１５秒〜６０秒であることという特徴的な構成要件により、本考案が解決しようとする第１課題〜第５課題を達成することができ、当業者予測不可能な顕著な効果を奏することができた。
○第１１の考案の効果
第１１の考案によれば、
上蓋ＵＣが透明であることという特徴的な構成要件により、本考案が解決しようとする第１課題〜第５課題を達成することができ、当業者予測不可能な顕著な効果を奏することができた。
○第１２の考案の効果
第１２の考案によれば、
当該真空チャンバーＣの上辺に設置されるヒートシーラーｈｓが、当該真空チャンバーＣの上辺に対向して設置されることという特徴的な構成要件により、本考案が解決しようとする第１課題〜第５課題を達成することができ、当業者予測不可能な顕著な効果を奏することができた。
【考案を実施するための最良の形態】
【０００８】
以下、本考案に係る、ＵＶ殺菌機能付き真空包装機１００に関する最良の実施形態について、図面を参照しながら説明する。
［図１］  図１は、考案に係る、ＵＶ殺菌機能付き真空包装機１００（実施例１）を表した図である。（Ａ）図は、考案に係る、ＵＶ殺菌機能付き真空包装機１００（実施例１）を表した斜図である。（Ｂ）図は、考案に係る、ＵＶ殺菌機能付き真空包装機１００（実施例１の本体）の表した平面図である。
［図２］  図２は、考案に係る、ＵＶ殺菌機能付き真空包装機１００（実施例１）の別の実施態様を表した図である。（Ａ）図は、考案に係る、ＵＶ殺菌機能付き真空包装機１００（実施例１）の別の実施態様を表した斜図である。（Ｂ）図は、考案に係る、ＵＶ殺菌機能付き真空包装機１００（実施例１の別の実施態様の本体）の表した平面図である。
［図３］  図３は、考案に係る、ＵＶ殺菌機能付き真空包装機１００（実施例１、実施例２）の右側面断面図である。
［図４］  図４は、考案に係る、ＵＶ殺菌機能付き真空包装機１００（実施例１）の第１の実施態様を表した図である。（Ａ）図は、考案に係る、ＵＶ殺菌機能付き真空包装機１００（実施例１）の第１の実施態様において、上蓋ＵＣを閉じた状態を表した右側面図である。（Ｂ）図は、考案に係る、ＵＶ殺菌機能付き真空包装機１００（実施例１）の第１の実施態様において、上蓋ＵＣを開いた状態を表した右側面図である。（Ｃ）図は、考案に係る、ＵＶ殺菌機能付き真空包装機１００（実施例１の第１の実施態様）の本体Ｂを表した平面図である。（Ｄ）図は、考案に係る、ＵＶ殺菌機能付き真空包装機１００（実施例１の第１の実施態様）の本体Ｂを表した平面図である。
［図５］  図５は、考案に係る、ＵＶ殺菌機能付き真空包装機１００（実施例１）の第２の実施態様を表した図である。（Ａ）図は、考案に係る、ＵＶ殺菌機能付き真空包装機１００（実施例１）の第２の実施態様において、上蓋ＵＣを閉じた状態を表した右側面図である。（Ｂ）図は、考案に係る、ＵＶ殺菌機能付き真空包装機１００（実施例１）の第２の実施態様において、上蓋ＵＣを開いた状態を表した右側面図をである。（Ｃ）図は、考案に係る、ＵＶ殺菌機能付き真空包装機１００（実施例１の第２の実施態様）の本体Ｂを表した平面図である。（Ｄ）図は、考案に係る、ＵＶ殺菌機能付き真空包装機１００（実施例２の第１の実施態様）の本体Ｂを表した平面図である。
［図６］  図６は、考案に係る、ＵＶ殺菌機能付き真空包装機１００（実施例２）の第３の実施態様を表した図である。（Ａ）図は、考案に係る、ＵＶ殺菌機能付き真空包装機１００（実施例２）の第３の実施態様において、上蓋ＵＣにより図面視左側の真空チャンバーＣを閉じた状態を表した右側面図である。（Ｂ）図は、考案に係る、ＵＶ殺菌機能付き真空包装機１００（実施例２）の第３の実施態様において、上蓋ＵＣにより図面視右側の真空チャンバーＣを閉じた状態を表した右側面図である。（Ｃ）図は、考案に係る、ＵＶ殺菌機能付き真空包装機１００（実施例２）の第３の実施態様において、上蓋ＵＣを開いた状態を表した右側面図である。（Ｄ）図は、考案に係る、ＵＶ殺菌機能付き真空包装機１００（実施例２の第３の実施態様）の本体Ｂを表した平面図である。
［図７］  図７は、考案に係る、ＵＶ殺菌機能付き真空包装機１００（実施例２）の第３の実施態様を表した図である。（Ａ）図は、考案に係る、ＵＶ殺菌機能付き真空包装機１００（実施例２）の第３の実施態様において、上蓋ＵＣを閉じた状態を表した正面図である。（Ｂ）図は、考案に係る、ＵＶ殺菌機能付き真空包装機１００（実施例２）の第３の実施態様において、上蓋ＵＣを開いた状態を表した正面図である。
［図８］  図８は、考案に係る、ＵＶ殺菌機能付き真空包装機１００（実施例１、実施例２）の上蓋ＵＣの空間内側ＩＳ内に収納されたＵＶランプＵＶＲを表した図である。（Ａ）図は、考案に係る、ＵＶ殺菌機能付き真空包装機１００（実施例１、実施例２）の上蓋ＵＣの内側空間ＩＳ内に収納されたＵＶランプＵＶＲを表した正面断面図である。（Ｂ）図は、考案に係る、ＵＶ殺菌機能付き真空包装機１００（実施例１、実施例２）の上蓋ＵＣの内側空間ＩＳ内に収納されたＵＶランプＵＶＲを表した右側面断面図である。（Ｃ）図は、考案に係る、ＵＶ殺菌機能付き真空包装機１００（実施例１、実施例２）の上蓋ＵＣの内側空間ＩＳ内に収納されたＵＶランプＵＶＲを表した平面図である（図８では、上蓋ＵＣが透明であり、ＵＶランプＵＶＲが透けて見える。）。（Ｄ）図は、考案に係る、ＵＶ殺菌機能付き真空包装機１００（実施例１、実施例２）の上蓋ＵＣの内側空間ＩＳ内に収納されたＵＶランプＵＶＲを表した底面図である。
（Ｅ）図は、考案に係る、ＵＶランプＵＶＲ（直管型ＵＶランプＵＶＲ）を表した図である。
［図９］  図９は、本考案の実施例２に利用される平行リンク機構を説明する図である。（Ａ）図は、平行リンク機構が、駆動リンク、中間リンク、従動リンク、固定リンクから構成されることを示す図である。（Ｂ）図は、平行リンク機構が、駆動リンク、中間リンク、従動リンクから構成されることを示す図である（（Ａ）図より、より簡略した図）。
［図１０］  図１０は、本考案の実施例２において、平行リンク機構に関係する寸法を明確化した図である。（Ａ）図は、上蓋ＵＣを開いた状態における、平行リンク機構に関係する寸法を明確化した図である。（Ｂ）図は、上蓋ＵＣを閉じた状態（上蓋ＵＣにより右側真空チャンバーＣのうえに閉じた状態）における、平行リンク機構に関係する寸法を明確化した図である。
［図１１］  図１１は、本考案の実施例２において、平行リンク機構に関係する寸法を明確化したる図である（本考案の実施例２において平行リンク機構が適用されるためにより簡略して駆動リンクのみを表示し従動リンクの表示は割愛してある。）。（Ａ）図は、上蓋ＵＣを開いた状態（θ＝０）における、平行リンク機構に関係する寸法を明確化したる図である。（Ｂ）図は、上蓋ＵＣを開いた子と閉じた状態の中間状態（（θ＝θ）における、平行リンク機構に関係する寸法を明確化したる図である。（Ｃ）図は、上蓋ＵＣを閉じた状態（θ＝θｍａｘ）における、平行リンク機構に関係する寸法を明確化したる図である。
［図１２］  図１２は、本考案の実施例２において、平行リンク機構に関係する寸法が充足しなければならない条件（１）式を説明する図である。
以下、本考案に係る、ＵＶ殺菌機能付き真空包装機１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のＵＶ殺菌機能付き真空包装機１００において、
真空チャンバーＣと、当該真空チャンバーＣの上辺に設置されるヒートシーラーｈｓと、ピン結合ｐｊにより開閉可能な上蓋ＵＣと真空ポンプｐと電気配線と吸引配管と排気配管が設置収納された動力室からなるＵＶ殺菌機能付き真空包装機１００において、上蓋ＵＣが閉じた場合には、真空ポンプｐにより真空減圧し、上蓋ＵＣが開いた場合には、真空ポンプｐにより真空減圧を停止すると共に、上蓋ＵＣの内側空間ＩＳに殺菌機能を有する紫外線ランプＵＶＲを設置したことを特徴とするＵＶ殺菌機能付き真空包装機１００が開示されている。
○第１の考案の効果
第１の考案によれば、
真空チャンバーＣと、当該真空チャンバーＣの上辺に設置されるヒートシーラーｈｓと、ピン結合ｐｊにより開閉可能な上蓋ＵＣと真空ポンプｐと電気配線と吸引配管と排気配管が設置収納された動力室からなるＵＶ殺菌機能付き真空包装機１００において、上蓋ＵＣが閉じた場合には、真空ポンプｐにより真空減圧し、上蓋ＵＣが開いた場合には、真空ポンプｐにより真空減圧を停止すると共に、上蓋ＵＣの内側空間ＩＳに殺菌機能を有する紫外線ランプＵＶＲを設置したことという特徴的な構成要件により、本考案が解決しようとする第１課題〜第５課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のＵＶ殺菌機能付き真空包装機１００において、
上蓋ＵＣの内側空間ＩＳに殺菌機能を有する直管型の紫外線ランプＵＶＲを４本矩形状に設置したこが開示されている。
○第２の考案の効果
第２の考案によれば、
上蓋ＵＣの内側空間ＩＳに殺菌機能を有する直管型の紫外線ランプＵＶＲを４本矩形状に設置したこという特徴的な構成要件により、本考案が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のＵＶ殺菌機能付き真空包装機１００において、
紫外線ランプＵＶＲにより波長が３５〜２７５ｎｍの紫外線ＵＶを発生することが開示されている。
○第３の考案の効果
第３の考案によれば、
紫外線ランプＵＶＲにより波長が３５〜２７５ｎｍの紫外線ＵＶを発生することという特徴的な構成要件により、本考案が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のＵＶ殺菌機能付き真空包装機１００において、
上蓋ＵＣが閉じた場合には、真空ポンプｐにより真空減圧し、上蓋ＵＣが開いた場合には、真空ポンプｐにより真空減圧を停止するＵＶ殺菌機能付き真空包装機１００において、上蓋ＵＣが閉じた時から上蓋ＵＣが開いた時までの時間ｔが、１５秒〜６０秒であることが開示されている。
○第４の考案の効果
第４の考案によれば、
上蓋ＵＣが閉じた場合には、真空ポンプｐにより真空減圧し、上蓋ＵＣが開いた場合には、真空ポンプｐにより真空減圧を停止するＵＶ殺菌機能付き真空包装機１００において、上蓋ＵＣが閉じた時から上蓋ＵＣが開いた時までの時間ｔが、１５秒〜６０秒であることという特徴的な構成要件により、本考案が解決しようとする第１課題〜第５課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のＵＶ殺菌機能付き真空包装機１００において、
上蓋ＵＣが透明であることが開示されている。
○第５の考案の効果
第５の考案によれば、
上蓋ＵＣが透明であることという特徴的な構成要件により、本考案が解決しようとする第１課題〜第５課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のＵＶ殺菌機能付き真空包装機１００において、
当該真空チャンバーＣの上辺に設置されるヒートシーラーｈｓが、当該真空チャンバーＣの上辺に対向して設置されることが開示されている。
○第６の考案の効果
第６の考案によれば、
当該真空チャンバーＣの上辺に設置されるヒートシーラーｈｓが、当該真空チャンバーＣの上辺に対向して設置されることという特徴的な構成要件により、本考案が解決しようとする第１課題〜第５課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のＵＶ殺菌機能付き真空包装機１００において、
２つの真空チャンバーＣと当該真空チャンバーＣの上辺に設置されるヒートシーラーｈｓと、開閉可能な上蓋ＵＣと、４本の搖動リンクＬＫと、真空ポンプｐと吸引配管と排気配管が設置収納されている動力室からなるＵＶ殺菌機能付き真空包装機１００において、４本の搖動リンクＬＫは、上蓋ＵＣとＵＶ殺菌機能付き真空包装機１００とをピン結合ｐｊにより搖動可能に結合してなり、搖動リンクＬＫが搖動することにより上蓋ＵＣが２つの真空チャンバーＣの何れかを閉じた場合には、真空ポンプｐにより真空減圧し、上蓋ＵＣが当該真空チャンバーＣから開いた場合には、真空ポンプｐにより真空減圧を停止すると共に、上蓋ＵＣの内側空間ＩＳに殺菌機能を有する紫外線ランプＵＶＲを設置したことが開示されている。
○第７の考案の効果
第７の考案によれば、
２つの真空チャンバーＣと当該真空チャンバーＣの上辺に設置されるヒートシーラーｈｓと、開閉可能な上蓋ＵＣと、４本の搖動リンクＬＫと、真空ポンプｐと吸引配管と排気配管が設置収納されている動力室からなるＵＶ殺菌機能付き真空包装機１００において、４本の搖動リンクＬＫは、上蓋ＵＣとＵＶ殺菌機能付き真空包装機１００とをピン結合ｐｊにより搖動可能に結合してなり、搖動リンクＬＫが搖動することにより上蓋ＵＣが２つの真空チャンバーＣの何れかを閉じた場合には、真空ポンプｐにより真空減圧し、上蓋ＵＣが当該真空チャンバーＣから開いた場合には、真空ポンプｐにより真空減圧を停止すると共に、上蓋ＵＣの内側空間ＩＳに殺菌機能を有する紫外線ランプＵＶＲを設置したことという特徴的な構成要件により、本考案が解決しようとする第１課題〜第５課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のＵＶ殺菌機能付き真空包装機１００において、
上蓋ＵＣの内側空間ＩＳに殺菌機能を有する直管型の紫外線ランプＵＶＲを４本矩形状に設置したことが開示されている。
○第８の考案の効果
第８の考案によれば、
上蓋ＵＣの内側空間ＩＳに殺菌機能を有する直管型の紫外線ランプＵＶＲを４本矩形状に設置したことという特徴的な構成要件により、本考案が解決しようとする第１課題〜第５課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のＵＶ殺菌機能付き真空包装機１００において、
紫外線ランプＵＶＲにより波長が３５〜２７５ｎｍの紫外線ＵＶを発生することが開示されている。
○第９の考案の効果
第９の考案によれば、
紫外線ランプＵＶＲにより波長が３５〜２７５ｎｍの紫外線ＵＶを発生することという特徴的な構成要件により、本考案が解決しようとする第１課題〜第５課題を達成することができ、当業者予測不可能な顕著な効果を奏することができた。
１０１０１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のＵＶ殺菌機能付き真空包装機１００において、
上蓋ＵＣが閉じた場合には、真空ポンプｐにより真空減圧し、上蓋ＵＣが開いた場合には、真空ポンプｐにより真空減圧を停止するＵＶ殺菌機能付き真空包装機１００において、上蓋ＵＣが閉じた時から上蓋ＵＣが開いた時までの時間ｔが、１５秒〜６０秒であることが開示されている。
○第１０の考案の効果
第１０の考案によれば、
上蓋ＵＣが閉じた場合には、真空ポンプｐにより真空減圧し、上蓋ＵＣが開いた場合には、真空ポンプｐにより真空減圧を停止するＵＶ殺菌機能付き真空包装機１００において、上蓋ＵＣが閉じた時から上蓋ＵＣが開いた時までの時間ｔが、１５秒〜６０秒であることという特徴的な構成要件により、本考案が解決しようとする第１課題〜第５課題を達成することができ、当業者予測不可能な顕著な効果を奏することができた。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のＵＶ殺菌機能付き真空包装機１００において、
上蓋ＵＣが透明であることが開示されている。
○第１１の考案の効果
第１１の考案によれば、
上蓋ＵＣが透明であることという特徴的な構成要件により、本考案が解決しようとする第１課題〜第５課題を達成することができ、当業者予測不可能な顕著な効果を奏することができた。
１２１２１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のＵＶ殺菌機能付き真空包装機１００において、
当該真空チャンバーＣの上辺に設置されるヒートシーラーｈｓが、当該真空チャンバーＣの上辺に対向して設置されることが開示されている。
○第１２の考案の効果
第１２の考案によれば、
当該真空チャンバーＣの上辺に設置されるヒートシーラーｈｓが、当該真空チャンバーＣの上辺に対向して設置されることという特徴的な構成要件により、本考案が解決しようとする第１課題〜第５課題を達成することができ、当業者予測不可能な顕著な効果を奏することができた。
【図面の簡単な説明】
【０００９】
【図１】図１は、考案に係る、ＵＶ殺菌機能付き真空包装機１００（実施例１）を表した図である。（Ａ）図は、考案に係る、ＵＶ殺菌機能付き真空包装機１００（実施例１）を表した斜図である。（Ｂ）図は、考案に係る、ＵＶ殺菌機能付き真空包装機１００（実施例１の本体）の表した平面図である。
【図２】図２は、考案に係る、ＵＶ殺菌機能付き真空包装機１００（実施例１）の別の実施態様を表した図である。（Ａ）図は、考案に係る、ＵＶ殺菌機能付き真空包装機１００（実施例１）の別の実施態様を表した斜図である。（Ｂ）図は、考案に係る、ＵＶ殺菌機能付き真空包装機１００（実施例１の別の実施態様の本体）の表した平面図である。
【図３】図３は、考案に係る、ＵＶ殺菌機能付き真空包装機１００（実施例１、実施例２）の右側面断面図である。
【図４】図４は、考案に係る、ＵＶ殺菌機能付き真空包装機１００（実施例１）の第１の実施態様を表した図である。（Ａ）図は、考案に係る、ＵＶ殺菌機能付き真空包装機１００（実施例１）の第１の実施態様において、上蓋ＵＣを閉じた状態を表した右側面図である。（Ｂ）図は、考案に係る、ＵＶ殺菌機能付き真空包装機１００（実施例１）の第１の実施態様において、上蓋ＵＣを開いた状態を表した右側面図である。（Ｃ）図は、考案に係る、ＵＶ殺菌機能付き真空包装機１００（実施例１の第１の実施態様）の本体Ｂを表した平面図である。（Ｄ）図は、考案に係る、ＵＶ殺菌機能付き真空包装機１００（実施例１の第１の実施態様）の本体Ｂを表した平面図である。
【図５】図５は、考案に係る、ＵＶ殺菌機能付き真空包装機１００（実施例１）の第２の実施態様を表した図である。（Ａ）図は、考案に係る、ＵＶ殺菌機能付き真空包装機１００（実施例１）の第２の実施態様において、上蓋ＵＣを閉じた状態を表した右側面図である。（Ｂ）図は、考案に係る、ＵＶ殺菌機能付き真空包装機１００（実施例１）の第２の実施態様において、上蓋ＵＣを開いた状態を表した右側面図である。（Ｃ）図は、考案に係る、ＵＶ殺菌機能付き真空包装機１００（実施例１の第２の実施態様）の本体Ｂを表した平面図である。（Ｄ）図は、考案に係る、ＵＶ殺菌機能付き真空包装機１００（実施例２の第１の実施態様）の本体Ｂを表した平面図である。
【図６】図６は、考案に係る、ＵＶ殺菌機能付き真空包装機１００（実施例２）の第３の実施態様を表した図である。（Ａ）図は、考案に係る、ＵＶ殺菌機能付き真空包装機１００（実施例２）の第３の実施態様において、上蓋ＵＣにより図面視左側の真空チャンバーＣを閉じた状態を表した右側面図である。（Ｂ）図は、考案に係る、ＵＶ殺菌機能付き真空包装機１００（実施例２）の第３の実施態様において、上蓋ＵＣにより図面視右側の真空チャンバーＣを閉じた状態を表した右側面図である。（Ｃ）図は、考案に係る、ＵＶ殺菌機能付き真空包装機１００（実施例２）の第３の実施態様において、上蓋ＵＣを開いた状態を表した右側面図である。（Ｄ）図は、考案に係る、ＵＶ殺菌機能付き真空包装機１００（実施例２の第３の実施態様）の本体Ｂを表した平面図である。
【図７】図７は、考案に係る、ＵＶ殺菌機能付き真空包装機１００（実施例２）の第３の実施態様を表した図である。（Ａ）図は、考案に係る、ＵＶ殺菌機能付き真空包装機１００（実施例２）の第３の実施態様において、上蓋ＵＣを閉じた状態を表した正面図である。（Ｂ）図は、考案に係る、ＵＶ殺菌機能付き真空包装機１００（実施例２）の第３の実施態様において、上蓋ＵＣを開いた状態を表した正面図である。
【図８】図８は、考案に係る、ＵＶ殺菌機能付き真空包装機１００（実施例１、実施例２）の上蓋ＵＣの内側空間ＩＳ内に収納されたＵＶランプＵＶＲを表した図である。（Ａ）図は、考案に係る、ＵＶ殺菌機能付き真空包装機１００（実施例１、実施例２）の上蓋ＵＣの内側空間ＩＳ内に収納されたＵＶランプＵＶＲを表した正面断面図である。（Ｂ）図は、考案に係る、ＵＶ殺菌機能付き真空包装機１００（実施例１、実施例２）の上蓋ＵＣの内側空間ＩＳ内に収納されたＵＶランプＵＶＲを表した右側面断面図である。（Ｃ）図は、考案に係る、ＵＶ殺菌機能付き真空包装機１００（実施例１、実施例２）の上蓋ＵＣの内側空間ＩＳ内に収納されたＵＶランプＵＶＲを表した平面図である（上蓋ＵＣが透明であり、ＵＶランプＵＶＲが透けて見える。）。（Ｄ）図は、考案に係る、ＵＶ殺菌機能付き真空包装機１００（実施例１、実施例２）の上蓋ＵＣの内側空間ＩＳ内に収納されたＵＶランプＵＶＲを表した底面図である。（Ｅ）図は、考案に係る、ＵＶランプＵＶＲ（直管型ＵＶランプＵＶＲ）を表した図である。
【図９】図９は、本考案の実施例２に利用される平行リンク機構を説明する図である。（Ａ）図は、平行リンク機構が、駆動リンク、中間リンク、従動リンク、固定リンクから構成されることを示す図である。（Ｂ）図は、平行リンク機構が、駆動リンク、中間リンク、従動リンクから構成されることを示す図である（（Ａ）図より、より簡略した図）。
【図１０】図１０は、本考案の実施例２において、平行リンク機構に関係する寸法を明確化した図である。（Ａ）図は、上蓋ＵＣを開いた状態における、平行リンク機構に関係する寸法を明確化した図である。（Ｂ）図は、上蓋ＵＣを閉じた状態（上蓋ＵＣにより右側真空チャンバーＣのうえに閉じた状態）における、平行リンク機構に関係する寸法を明確化した図である。
【図１１】図１１は、本考案の実施例２において、平行リンク機構に関係する寸法を明確化したる図である（本考案の実施例２において平行リンク機構が適用されるためにより簡略して駆動リンクのみを表示し従動リンクの表示は割愛してある。）。（Ａ）図は、上蓋ＵＣを開いた状態（θ＝０）における、平行リンク機構に関係する寸法を明確化したる図である。（Ｂ）図は、上蓋ＵＣを開いた子と閉じた状態の中間状態（（θ＝θ）における、平行リンク機構に関係する寸法を明確化したる図である。（Ｃ）図は、上蓋ＵＣを閉じた状態（θ＝θｍａｘ）における、平行リンク機構に関係する寸法を明確化したる図である。
【図１２】図１２は、本考案の実施例２において、平行リンク機構に関係する寸法が充足しなければならない条件（１）式を説明する図である。
【符号の説明】
【００１０】
Ｃ…真空チャンバー
ｈｓ…ヒートシーラー
ｐｊ…ピン結合
ＵＣ…上蓋ＵＣ
ｐ…真空ポンプ
ＤＲ…動力室
１００…殺菌機能付き真空包装機
ＩＳ…上蓋ＵＣの内側空間
ＵＶＲ…紫外線ランプ
ＵＶ…紫外線
ＣＧ…包装容器（包装袋）に入った真空包装対象品
ｔ…上蓋ＵＣが閉じた時から上蓋ＵＣが開いた時までの時間（秒）
ＬＫ…搖動リンク
【図１】
0003224978.tif 000003
【図２】
0003224978.tif 000004
【図３】
0003224978.tif 000005
【図４】
0003224978.tif 000006
【図５】
0003224978.tif 000007
【図６】
0003224978.tif 000008
【図７】
0003224978.tif 000009
【図８】
0003224978.tif 000010
【図９】
0003224978.tif 000011
【図１０】
0003224978.tif 000012
【図１１】
0003224978.tif 000013
【図１２】
0003224978.tif 000014